(57)【要約】【課題】特定の被写体が最適な状態で撮像されている映像を選択して配信可能とする。【解決手段】被写体２１に無線タグＴ１を取着すると共に、これらの無線タグＴ１から送信される無線信号を各カメラＣ１〜Ｃ４の設置位置においてそれぞれ受信し、受信された被写体のＩＤ及び受信強度をカメラＣ１〜Ｃ４ごとにＩＤ受信履歴データベース１３ａに記憶する。そして、ユーザ端末ＰＣ１〜ＰＣｎ及び携帯端末ＭＰから映像配信要求が送られた場合に、この配信要求に含まれる監視対象の被写体のＩＤをもとに上記ＩＤ受信履歴データベース１３ａを検索することで、上記監視対象の被写体を撮像したカメラを特定する。また、同一時間帯に上記監視対象の被写体を撮像したカメラが複数台存在する場合には、ＩＤ受信履歴データベース１３ａに記憶された受信強度が最も大きいカメラを１台選択し、このカメラにより撮像された映像データを選択して要求元の端末へ送信する。【選択図】      図１
2006101028.tif 000002
【特許請求の範囲】
【請求項１】
監視対象エリアを撮像して監視画像を出力する複数の撮像装置と、
前記複数の撮像装置と信号伝送路を介して接続されると共に、外部端末と通信ネットワークを介して接続されるサーバ装置と、
前記監視対象エリア内に存在する被写体が前記複数の撮像装置の撮像範囲のいずれに位置するかを検出する被写体検出装置と
を具備し、
前記サーバ装置は、
前記複数の撮像装置から出力される監視画像を、前記信号伝送路を介してそれぞれ収集する手段と、
前記収集された監視画像ごとに、当該監視画像中に含まれる前記被写体の撮像状態を検出する状態検出手段と、
前記外部端末から特定の被写体を含む監視画像の配信要求が送られた場合に、前記被写体検出装置による検出結果及び前記状態検出手段の検出結果に基づいて、前記収集された複数の監視画像の中から前記特定の被写体を含みかつ当該被写体の撮像状態が最も良い監視画像を選択する手段と、
前記選択された監視画像を前記配信要求元の外部端末へ前記通信ネットワークを介して送信する手段と
を備えることを特徴とする監視システム。
【発明の詳細な説明】
【技術分野】
【０００１】
この発明は、監視カメラ等の撮像装置で撮影された画像をネットワーク経由で閲覧者に配信する監視システムに関する。
【背景技術】
【０００２】
近年、Ｗｅｂカメラやネットワークカメラにより撮影した映像を、インターネットやＬＡＮ（Local Area Network）などの各種通信ネットワークを介して閲覧者の端末へ配信するシステムへの関心が高まっている。この種のシステムを利用すると、通信ネットワークに接続されたパーソナル・コンピュータなどの端末において、ブラウザ・ソフトウェアを用いることでカメラ映像を簡単に見ることができ、閲覧者は居ながらにして遠隔地のリアルな映像を閲覧することができる。
【０００３】
例えば、幼稚園や保育園、託児所などにＷｅｂカメラやネットワークカメラを設置して、子供の様子を家庭や職場からリアルタイムに監視するシステムが提案されている。しかし、リアルタイム配信であると、幼稚園などが開園している時間内に閲覧しなければならないので、勤務時間中に監視することはできないし、常時リアルタイムで見ることは困難である。そこで、カメラで撮影された映像を蓄積し、リアルタイムまたは蓄積した映像を選択して配信するシステムが提案されている（例えば、特許文献１を参照。）。
【０００４】
【特許文献１】特開２００４−１１２１６７公報
【発明の開示】
【発明が解決しようとする課題】
【０００５】
ところが、園内に複数のカメラを設置したシステムの場合、特定の被写体を見つけるのは困難である。例えば、幼稚園や保育園では制服や体操着などを着用していることがあり、自分の子供を見分けるのが難しい場合がある。また、子供たちは自由に動き回るため、１つのカメラで撮像された映像に収まっていることは稀である。このため、保護者は複数のカメラ映像を見比べ、その中から絶えず自分の子供を捜さなければならない。
【０００６】
この発明は上記事情に着目してなされたもので、その目的とするところは、複数のカメラを用いた監視システムにおいて、特定の被写体が最適な状態で撮像されている映像を選択して配信可能な監視システムを提供することにある。
【課題を解決するための手段】
【０００７】
上記目的を達成するためにこの発明は、監視対象エリアを撮像して監視画像を出力する複数の撮像装置と、上記複数の撮像装置と信号伝送路を介して接続されると共に、外部端末と通信ネットワークを介して接続されるサーバ装置と、上記監視対象エリア内に存在する被写体が上記複数の撮像装置の撮像範囲のいずれに位置するかを検出する被写体検出装置とを備える。そして、上記サーバ装置は、上記複数の撮像装置から出力される監視画像を、上記信号伝送路を介してそれぞれ収集し、収集した監視画像ごとに、監視画像中に含まれる上記被写体の撮像状態を検出する。さらに、上記外部端末から特定の被写体を含む監視画像の配信要求が送られた場合に、上記被写体検出装置による検出結果及び検出された撮像状態に基づいて、収集された複数の監視画像の中から特定の被写体を含みかつ当該被写体の撮像状態が最も良い監視画像を選択する。そして、この選択された監視画像を配信要求元の外部端末へ通信ネットワークを介して送信するようにしたものである。
【０００８】
このように構成することにより、配信される監視画像には常に閲覧を希望する特定の被写体が撮像されているため、閲覧者は複数の撮像装置が撮像した監視画像の内から特定の被写体を検索する時間や負担を軽減することが可能となる。さらに、同時刻に複数の撮像装置によって被写体が撮像されていた場合は、検出された撮像状態に基づいて、当該被写体の撮像状態が最も良い監視画像が選択されて配信されるため、閲覧者は特定の被写体が最適な状態で撮像されている監視画像を閲覧することが可能となる。
【発明の効果】
【０００９】
したがってこの発明によれば、複数のカメラを用いた監視システムにおいて、特定の被写体が最適な状態で撮像されている映像を選択して配信可能な監視システムを提供することができる。
【発明を実施するための最良の形態】
【００１０】
図１は、この発明に係わる監視システムの一実施形態を示す概略構成図である。このシステムは、カメラＣ１〜Ｃ４、サーバ装置ＳＶ、及び通信ネットワークＮＷを備える。  
カメラＣ１〜Ｃ４は、ネットワーク・インタフェースが設けられたネットワークカメラやＷｅｂカメラなどで構成される。そして、撮像管やＣＣＤ（Charge Coupled Device）等の固体撮像素子により撮像された映像をデジタル処理し、ネットワーク・インタフェースを介して映像を配信する機能を有する。カメラＣ１〜Ｃ４は、例えば図１に示すように監視対象エリアに一定の間隔で配置され、監視対象エリア内で移動する被写体２１を分担して撮像する。カメラＣ１〜Ｃ４により撮像された映像信号は、カメラに設けられたネットワーク・インタフェースにより信号ケーブル又はＬＡＮ（Local Area Network）を介してサーバ装置ＳＶに送信される。
【００１１】
サーバ装置ＳＶは、上記カメラＣ１〜Ｃ４により撮像された映像信号を上記信号ケーブル又はＬＡＮを介して受信する機能を備える。また、閲覧者が使用するユーザ端末ＰＣ１〜ＰＣｎに対して、通信ネットワークＮＷを介して接続される。ユーザ端末ＰＣ１〜ＰＣｎは例えばパーソナル・コンピュータにより構成され、ブラウザ・ソフトウェアを備えている。通信ネットワークＮＷは、例えばＬＡＮ、或いはインターネットに代表されるコンピュータ・ネットワークとこのコンピュータ・ネットワークとユーザ端末との間を接続するための加入者網とから構成される。なお、上記ユーザ端末には携帯電話機やＰＤＡ（Personal Digital Assistants）等の携帯端末ＭＰも含まれる。これらの携帯端末ＭＰは図示しない移動通信網を経由して上記コンピュータ・ネットワークに接続される。
【００１２】
また、閲覧者は予めサーバ装置ＳＶにユーザ登録され、アカウントとパスワードを付与されている。このアカウントとパスワードをユーザ端末ＰＣ１〜ＰＣｎ及び携帯電話ＭＰから、通信ネットワークＮＷを介してサーバ装置ＳＶに対して送信し、ユーザ認証を行うことで、カメラＣ１〜Ｃ４により撮像された映像を閲覧可能となる。
【００１３】
さて、カメラＣ１〜Ｃ４による被写体２１の撮像動作について図２を用いて説明する。カメラＣ１〜Ｃ４は構成が同一であるため、ここではカメラＣ１について説明を行う。幼稚園児や保育園児などの被写体２１に取着された名札やバッヂには、無線タグＴ１が設けられている。この無線タグＴ１は、例えば、ＲＦＩＤ（Radio Frequency IDentification）タグからなり、被写体ごとにユニークに設定された個別識別情報（以下、ＩＤと呼称する）を無線信号として発信する。
【００１４】
一方、カメラＣ１にはタグリーダＲ１が付設されている。タグリーダＲ１は、被写体２１に取着された無線タグＴ１が発する無線信号を受信する。そして、受信した信号から被写体のＩＤを認識する。また、タグリーダＲ１は、無線タグＴ１が発する無線信号の受信強度を測定する機能を有する。カメラＣ１〜Ｃ４は、撮像により得られた映像信号と共に、上記認識されたＩＤ及び測定された受信強度を表す情報をサーバ装置ＳＶに送信する。
【００１５】
サーバ装置ＳＶは、例えば次のように構成される。図３は、その機能構成を示すブロック図である。すなわち、サーバ装置ＳＶはマイクロプロセッサなどのＣＰＵ（Central Processing Unit）１１を備える。このＣＰＵ１１には、バス１２を介して、データメモリ１３及びプログラムメモリ１４が接続され、さらにカメラ入力インタフェース（カメラ入力Ｉ／Ｆ）１５と通信インタフェース（通信Ｉ／Ｆ）１６が接続されている。カメラ入力Ｉ／Ｆ１５は、前述したカメラＣ１〜Ｃ４からの映像信号と被写体のＩＤ及び受信強度を表す情報の受信処理を行う。通信Ｉ／Ｆ１６は、通信ネットワークＮＷを介してユーザ端末ＰＣ１〜ＰＣｎ及び携帯電話ＭＰとの間でデータの送受信を行う。
【００１６】
データメモリ１３は、記憶媒体として例えばＲＡＭまたはハードディスクなどを使用する。データメモリ１３には、カメラＣ１〜Ｃ４に対応付けてＩＤ受信履歴データベース１３ａ及び蓄積映像データベース１３ｂが記憶される。ＩＤ受信履歴データベース１３ａには、タグリーダＲ１により受信された無線タグＴ１のＩＤと受信強度が受信時刻に対応付けて記憶される。蓄積映像データベース１３ｂは、カメラ入力Ｉ／Ｆを介して受信されたカメラＣ１〜Ｃ４の映像データが記憶される。
【００１７】
プログラムメモリ１４には、この発明に係わる制御プログラムとして、ＩＤ受信履歴作成プログラム１４ａ、ライブ映像配信プログラム１４ｂ及び蓄積映像配信プログラム１４ｃが格納される。ＩＤ受信履歴作成プログラム１４ａは、前述のＩＤ受信履歴データベース１３ａの作成を行う。ライブ映像配信プログラム１４ｂは、ユーザ端末ＰＣ１〜ＰＣｎ及び携帯端末ＭＰからの映像配信要求に応じて、カメラＣ１〜Ｃ４により撮像された映像データをリアルタイムで配信する。蓄積映像配信プログラム１４ｃは、ユーザ端末ＰＣ１〜ＰＣｎ及び携帯端末ＭＰからの映像配信要求に応じて、蓄積映像データベース１３ｂから該当するカメラ映像を読み出して配信する。
【００１８】
ところで、上記ライブ映像配信プログラム１４ｂ及び蓄積映像配信プログラム１４ｃはいずれも配信対象映像の選択制御機能を備えている。配信対象映像の選択制御機能は、ユーザ端末ＰＣ１〜ＰＣｎ及び携帯端末ＭＰから映像配信要求が送られた場合に、この配信要求から監視対象の被写体のＩＤを抽出する。そして、カメラＣ１〜Ｃ４に対応して設けられたＩＤ受信履歴データベース１３ａを検索することで、上記抽出されたＩＤに対応する被写体を撮像したカメラを特定する。そして、同一時間帯に上記被写体を撮像したカメラが複数台存在する場合には、ＩＤ受信履歴データベース１３ａに記憶された受信強度が最も大きいカメラを１台選択し、このカメラにより撮像された映像データを選択して送信させる。
【００１９】
次に、以上のように構成されたシステムによる監視に関わる動作について説明する。  
カメラＣ１〜Ｃ４は、被写体２１が存在する監視対象領域を保育園または幼稚園の開園時刻から閉園時刻まで連続して撮像する。また、被写体２１に取着された無線タグＴ１は、被写体のＩＤを無線信号としてある一定の周期（この実施例では１分間）ごとに発信する。カメラＣ１〜Ｃ４に付設されたタグリーダＲ１は、受信した無線信号からＩＤを認識し、さらに無線信号の受信強度を測定する。そして、カメラＣ１〜Ｃ４は、撮像した映像と共に、上記受信されたＩＤ及び測定された受信強度をサーバ装置ＳＶに対して送信する。
【００２０】
これに対して、サーバ装置ＳＶでは、常駐プログラムとしてＩＤ受信履歴作成プログラム１４ａが実行されている。このＩＤ受信履歴作成プログラム１４ａに従いサーバ装置ＳＶのＣＰＵ１１は、カメラ入力Ｉ／Ｆ１５により受信された上記カメラ映像を、受信時刻を表すタイムスタンプを付して蓄積映像データベース１３ｂに蓄積する。またそれと共に、受信されたＩＤ及び受信強度をＩＤ受信履歴データベース１３ａに受信時刻に対応付けて記憶する。その一例を図４に示す。
【００２１】
次に、上記作成されたＩＤ受信履歴データベース１３ａを利用して、撮像中のカメラ映像や蓄積映像データベース１３ｂに記憶されたカメラ映像を通信ネットワークＮＷを介してユーザ端末ＰＣ１〜ＰＣｎ及び携帯電話ＭＰに対して配信する動作について説明する。
【００２２】
（Ａ）ライブ映像の配信  
図５は、ライブ映像配信制御の処理手順と処理内容を示すフローチャートである。  
ユーザ端末ＰＣ１〜ＰＣｎにおいて閲覧者がライブ映像の閲覧操作を行うと、当該ユーザ端末ＰＣ１〜ＰＣｎからサーバ装置ＳＶに対し、通信ネットワークＮＷを介して監視対象の被写体２１のＩＤを含むライブ映像閲覧要求が送信される。
【００２３】
サーバ装置ＳＶは、上記ライブ映像閲覧要求が通信Ｉ／Ｆ１６において受信されると、以後ライブ映像配信プログラム１４ｂに従い以下のようにライブ配信制御を実行する。すなわち、ＣＰＵ１１は先ずステップＳ５ａにおいて、上記受信されたライブ映像閲覧要求から監視対象の被写体２１のＩＤを抽出する。続いてステップＳ５ｂにより、上記抽出されたＩＤをもとに各ＩＤ受信履歴データベース１３ａを検索して、該当する被写体を撮像したカメラを特定する。なお、ＩＤ受信履歴データベース１３ａに現在時刻と一致する受信時刻が記憶されていない場合には、現在時刻に最も近い受信時刻を選択し、この受信時刻に対応付けて記憶されている受信ＩＤをもとにカメラを特定する。
【００２４】
次にＣＰＵ１１は、上記検索処理により特定されたカメラが複数台存在するか否かをステップＳ５ｃにより判定する。この判定により、複数のカメラが存在すると判定された場合は、ステップＳ５ｄに移行し、各カメラのＩＤ受信履歴データベース１３ａにアクセスし、記憶されている受信強度が最も大きいカメラを選択する。かくして、監視対象の被写体が最も大きく写っているカメラが選択される。
【００２５】
そしてＣＰＵ１１は、ステップＳ５ｅにより、以後上記選択されたカメラから送られる映像データを通信ネットワークＮＷを介して配信要求元のユーザ端末ＰＣ１〜ＰＣｎ又は携帯端末ＭＰへ送信する。また、ステップＳ５ｄの判定において、被写体２１を撮像中のカメラが１台のみ検索された場合には、ステップＳ５ｅに移行して、以後上記検索されたカメラから送られた映像データを配信要求元のユーザ端末ＰＣ１〜ＰＣｎ又は携帯端末ＭＰへ送信する。
【００２６】
さらに、上記配信中にＣＰＵ１１は、ステップＳ５ｆにおいて、ユーザ端末ＰＣ１〜ＰＣｎ又は携帯端末ＭＰから閲覧終了要求が受信されたか否かの判定を行い、受信されない場合にはステップＳ５ｇに移行する。そしてステップＳ５ｇにおいて、ある単位時間（例えば１分）の時刻経過を検知すると、ステップＳ５ｂに戻り、先に述べた動作を繰り返し行う。これに対しステップＳ５ｆの終了判定において閲覧終了要求の受信を検出すると、サーバ装置ＳＶはライブ映像の配信を終了する。
【００２７】
（Ｂ）蓄積映像の配信  
図６は、蓄積映像配信制御の処理手順と処理内容を示すフローチャートである。  
ユーザ端末ＰＣ１〜ＰＣｎ又は携帯端末ＭＰにおいて閲覧者が蓄積映像の閲覧操作を行うと、当該ユーザ端末ＰＣ１〜ＰＣｎ又は携帯端末ＭＰからサーバ装置ＳＶに対し、通信ネットワークＮＷを介して、閲覧対象期間を指定する情報及び監視対象の被写体２１のＩＤを含む蓄積映像閲覧要求が送信される。
【００２８】
これに対しサーバ装置ＳＶは、上記蓄積映像閲覧要求が通信Ｉ／Ｆ１６において受信されると、以後蓄積映像配信プログラム１４ｃに従い以下のように蓄積配信制御を実行する。すなわち、ＣＰＵ１１は、先ずステップＳ６ａにおいて、上記受信された蓄積映像閲覧要求から閲覧対象期間の指定情報及び監視対象の被写体２１のＩＤをそれぞれ抽出する。そして、上記指定された閲覧期間の開始時刻及び終了時刻を設定し、以後上記設定された開始時刻から終了時刻まで一定時間置きに蓄積映像を送信するための処理をステップＳ６ｂループ開始からステップＳ６ｈのループ終了まで繰り返し行う。
【００２９】
すなわち、ＣＰＵ１１は先ずステップＳ６ｃにおいて、上記抽出されたＩＤをもとに各ＩＤ受信履歴データベース１３ａを検索して、該当する被写体を撮像したカメラを特定する。なお、ＩＤ受信履歴データベース１３ａに上記設定時刻と一致する受信時刻が記憶されていない場合には、上記設定時刻に最も近い受信時刻を選択し、この受信時刻に対応付けて記憶されている受信ＩＤをもとにカメラを特定する。
【００３０】
次にＣＰＵ１１は、上記検索処理により特定されたカメラが複数台存在するか否かをステップＳ６ｄにより判定する。この判定により、複数のカメラが存在すると判定された場合は、ステップＳ６ｅに移行し、各カメラのＩＤ受信履歴データベース１３ａにアクセスし、記憶されている受信強度が最も大きいカメラを選択する。かくして、監視対象の被写体が最も大きく写っているカメラが選択される。
【００３１】
そしてＣＰＵ１１は、ステップＳ６ｆにより、上記選択されたカメラに対応する蓄積映像データベース１３ｂをアクセスし、この蓄積映像データベース１３ｂから設定された時刻に対応する監視映像データを読み出す。そして、この読み出された監視映像データを、通信ネットワークＮＷを介して配信要求元のユーザ端末ＰＣ１〜ＰＣｎ又は携帯端末ＭＰへ送信する。
【００３２】
また、ステップＳ６ｄの判定において、被写体２１を撮像中のカメラが１台のみ検索された場合には、そのままステップＳ６ｆに移行する。そして、上記検索されたカメラに対応する蓄積映像データベース１３ｂをアクセスして、上記設定された時刻に対応する監視映像データを読み出し、この読み出された監視映像データを通信ネットワークＮＷを介して配信要求元のユーザ端末ＰＣ１〜ＰＣｎ又は携帯端末ＭＰへ送信する。
【００３３】
そうしてある設定時刻における映像データの送信が終了すると、ＣＰＵ１１はステップＳ６ｇに移行して次の時刻を設定し、ステップＳ６ｂのループ開始からステップＳ６ｈのループ終了まで蓄積映像の配信処理を繰り返す。
例えば、図７の期間Ｇ〜期間Ｌに示すように被写体２１がカメラＣ１〜Ｃ４によりそれぞれ撮像されたとする。このうち期間Ｋと期間Ｌにおいては、被写体２１がカメラＣ３及びカメラＣ４の両方で撮像されている。この場合、蓄積映像配信プログラム１４ｂは、ＩＤ受信履歴データベース１３ａをアクセスして、期間Ｋと期間Ｌにおける無線タグＴ１から発信された無線信号の受信強度をそれぞれ読み出す。そして、期間Ｋの受信強度がレベル５、期間Ｌの受信強度がレベル３であった場合、撮影時間が重複している時間に関しては、受信強度の大きいカメラＣ３を優先する。かくして、その時刻ごとに無線タグＴ１からの受信レベルが最も大きい映像データ、つまり監視対象の被写体２１が最も大きく写っていると推測される監視映像データが選択され、閲覧者の端末へ配信される。
【００３４】
以上述べたようにこの実施形態では、被写体２１に無線タグＴ１を取着すると共に、これらの無線タグＴ１から送信される無線信号を各カメラＣ１〜Ｃ４の設置位置においてそれぞれ受信し、受信された被写体のＩＤ及び受信強度をカメラＣ１〜Ｃ４ごとにＩＤ受信履歴データベース１３ａに記憶する。そして、ユーザ端末ＰＣ１〜ＰＣｎ及び携帯端末ＭＰから映像配信要求が送られた場合に、この配信要求に含まれる監視対象の被写体のＩＤをもとに上記ＩＤ受信履歴データベース１３ａを検索することで、上記監視対象の被写体を撮像したカメラを特定する。また、同一時間帯に上記監視対象の被写体を撮像したカメラが複数台存在する場合には、ＩＤ受信履歴データベース１３ａに記憶された受信強度が最も大きいカメラを１台選択し、このカメラにより撮像された映像データを選択して要求元の端末へ送信するようにしている。
【００３５】
したがってこの実施形態によれば、配信される映像データには常に閲覧を希望する特定の被写体２１が撮像されているため、閲覧者はカメラＣ１〜Ｃ４が撮像した映像の内から特定の被写体２１を検索する時間や負担を軽減することが可能となる。さらに、同時刻に複数のカメラＣ１〜Ｃ４によって被写体が撮像されていた場合は、被写体２１に取着された無線タグＴ１が発する無線信号の受信強度に基づいて、受信強度が最も大きいカメラが選択されてその撮像映像データが配信されるため、閲覧者は常に特定の被写体が最も大きく写されている映像データを閲覧することが可能となり、これにより例えば自身の子供の様子をより明瞭に確認することが可能となる。
【００３６】
なお、この発明は上記実施形態に限定されるものではない。例えば、被写体２１の撮像に用いられるカメラの台数やタグリーダＲ１は、システム規模によって変更可能である。また、タグリーダＲ１は、対応するカメラが撮像している被写体に取着された無線タグＴ１からの無線信号を受信可能な位置にあれば、カメラと同じ位置にある必要はない。その場合、タグリーダＲ１とサーバ装置ＳＶを通信ケーブルなどで接続し、タグリーダＲ１が受信したＩＤをサーバ装置ＳＶに直接入力するようにしてもよい。
【００３７】
また、被写体２１が同時刻に複数のカメラで撮像されている場合に、前記実施形態では無線タグＴ１から発せられた無線信号の受信強度を利用して選択優先順位を決定した。しかし、選択優先順位を決定するための被写体画像の状態情報としては、例えば顔が正面を向いているかどうか、映像中の中央に位置するかどうか、被写体が欠けていないかどうかなどを採用してもよく、さらにはこれらの条件を組み合わせることにより、選択優先順位を決定することも可能である。さらに、閲覧者がどのような条件の映像を閲覧するかを選択できるように構成する。このようにすると、閲覧者の希望にさらに合致する映像を提供することが可能となる。
【００３８】
また、映像データの配信時に、閲覧者が指定した被写体以外の被写体には、マスキングやモザイクをかける画像処理を施した上で配信してもよい。このように構成することにより、被写体に対するプライバシーが保たれ、閲覧者は安心してこのシステムを利用することができる。
【００３９】
さらに前記実施形態では、監視対象エリア内に存在する被写体が複数の撮像装置の撮像範囲のいずれに位置するかを、無線タグＴ１を用いて特定するようにした。しかし、それに限定されるものではなく、例えば撮像された映像データから顔の特徴を認識したり目の虹彩を認識する技術を利用することにより特定するようにしてもよい。さらに、これらの特定手法を組み合わせて使用することにより、被写体２１をより正確に認識することが可能となる。
【００４０】
また前記実施形態では、被写体２１として保育園や幼稚園などの園児を想定したが、例えば、老人ホームにいる高齢者の様子を遠隔地からモニタリングしたり、ペット預かり所に預けられたペットの監視など様々な用途に利用することができる。
さらに、データメモリ１３に記憶されるＩＤ受信履歴データベース１３ａ及び蓄積映像データベース１３ｂの構成や記憶される項目、プログラムメモリ１４に格納される各プログラムの処理手順、処理内容についても、この発明の要旨を逸脱しない範囲で種々変形して実施できる。
【００４１】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４２】
【図１】この発明に係わる監視システムの一実施形態を実現するシステムの概略構成図。
【図２】信号発信機から発信された識別情報を信号受信機により受信する様子を示す図。
【図３】図１に示すシステムのサーバ装置の機能構成を示すブロック図。
【図４】図３に示すサーバ装置に設けられるＩＤ受信履歴データベースの構成を示す図。
【図５】図３に示すサーバ装置によるライブ映像配信の処理手順と処理内容を示すフローチャート。
【図６】図３に示すサーバ装置による蓄積映像配信の処理手順と処理内容を示すフローチャート。
【図７】蓄積映像配信における配信映像の選択過程を示す図。
【符号の説明】
【００４３】
Ｃ１〜Ｃ４…カメラ、２１…被写体、ＳＶ…サーバ装置、ＮＷ…ネットワーク、ＰＣ１〜ＰＣｎ…ユーザ端末、ＭＰ…携帯電話、Ｔ１…無線タグ、Ｒ1…タグリーダ、１１…ＣＰＵ、１２…バス、１３…データメモリ、１３ａ…ＩＤ受信履歴データベース、１３ｂ…蓄積映像データベース、１４…プログラムメモリ、１４ａ…ＩＤ受信履歴作成プログラム、１４ｂ…ライブ映像配信プログラム、１４ｃ…蓄積映像配信プログラム、１５…カメラ入力Ｉ／Ｆ、１６…通信Ｉ／Ｆ。
【図１】
2006101028.tif 000003
【図２】
2006101028.tif 000004
【図３】
2006101028.tif 000005
【図４】
2006101028.tif 000006
【図５】
2006101028.tif 000007
【図６】
2006101028.tif 000008
【図７】
2006101028.tif 000009